(57)【要約】      （修正有）【課題】車内や室内に使用されることができ、空気のリフレッシュと、拡散される香料の蒸気の放出量の調節との両方が可能なエアフレッシュナを提供する。【解決手段】エアフレッシュナは、回転ボックスと、回転ボックスを回転可能に支持する固定基部と、回転ボックスと一緒に回転可能で、香料が満たされる香料ボックスとを具備する。回転ボックスは、環状の断面を有し、また、中に香料ボックスを収容かつ嵌め込むための内部空間を有し、この回転ボックスが、固定基部に対して回転しているとき、香料ボックスの一部分を露出させるための、空気孔が、固定基部に形成されている。【選択図】図１（ａ）
0003156421.tif 000002
【実用新案登録請求の範囲】
【請求項１】
回転ボックスと、
この回転ボックスを回転可能に支持する固定基部と、
前記回転ボックスと一緒に回転可能で、香料が満たされる香料ボックスとを具備し、
前記回転ボックスは、環状の断面を有し、また、この回転ボックスは、中に前記香料ボックスを収容かつ嵌め込むための内部空間を有し、
この回転ボックスが、前記固定基部に対して回転しているとき、前記香料ボックスの一部分を露出させるために、空気孔が、前記固定基部に形成されているエアフレッシュナ。
【請求項２】
前記回転ボックスは、中に前記香料ボックスを収容かつ嵌め込むための空間を形成している球形の突出部を有し、また、
この球形の突出部に対向している前記回転ボックスの側面が、開口されている請求項１のエアフレッシュナ。
【請求項３】
前記固定基部は、複数の通気孔を有する円形シートであり、熱可塑性プラスチックで成形されており、また、
前記回転ボックスは、熱可塑性プラスチックで成形されている請求項２のエアフレッシュナ。
【請求項４】
前記回転ボックスの開口された側面は、凹状の段部と段部の面とを有し、
前記回転ボックスが、前記円形シートに対して回転可能なように、この円形シートが、この回転ボックスの前記凹状の段部内に嵌め込まれ、前記段部の面に当接している請求項３のエアフレッシュナ。
【請求項５】
前記回転ボックスに前記固定基部を固定し、かつこの固定基部が外れるのを防ぐように、少なくとも１つのファスナが、前記回転ボックスの環状縁部に形成されている請求項４のエアフレッシュナ。
【請求項６】
２つの固定ファスナと、１つの移動可能なファスナとが、前記回転ボックスの前記環状縁部に形成されており、また、
２つのスロットが、前記移動可能なファスナの両側に形成されており、
前記２つの固定ファスナに固定された後、前記固定基部が、前記移動可能なファスナを引くことによって嵌め込まれ、この移動可能なファスナを緩めることによって留められる請求項５のエアフレッシュナ。
【請求項７】
前記回転ボックスは、突出部分の対向している両端の所から、前記回転ボックスの球形の空間の内部に向かって延びた複数のグリッドと、これらグリッドに対して所定の角度をなすように形成された複数の突出先端部とを有し、
前記香料ボックスは、透明なプラスチックシート材料で吸引により成形されたボックス本体と、液体の香料を封止可能かつ香料の蒸気を拡散可能な半透過フィルムと、使用前に前記香料の蒸気が拡散するのを防止可能なアルミニウム箔のフィルムとを有し、また、
この香料ボックスは、前記回転ボックスに適合した形状であり、さらに、
この香料ボックスは、前記回転ボックスに嵌め込まれ、かつこの回転ボックスと一緒に回転可能なように、前記複数のグリッドと前記複数の突出先端部とに対応する嵌め込み部分を有する請求項６のエアフレッシュナ。
【請求項８】
前記回転ボックスは、前方カバーと後方基部とを有し、
この後方基部は、前記固定基部を収容するための環状の溝を有する請求項１のエアフレッシュナ。
【請求項９】
前記回転ボックスの前記前方カバーは、凹状の段部と段部の面とを有し、また、
前記後方基部は、前記回転ボックスの前記凹状の段部に嵌め込まれ、前記段部の面に当接し、
通気孔が、前記香料ボックスの一部分を露出させるように、前記後方基部の前記環状の溝に形成されており、
前記回転ボックスが、前記固定基部に対して回転しているとき、前記香料ボックスの一部分が、前記固定基部の前記通気孔と、前記後方基部の前記環状の溝の前記通気孔とを通って見られることが可能である請求項８のエアフレッシュナ。
【請求項１０】
前記香料ボックスは、透明なプラスチックシート材料で吸引により成形されたボックス本体と、液体の香料を封止可能かつ香料の蒸気を拡散可能な半透過フィルムと、使用前に前記香料の蒸気が拡散するのを防止可能なアルミニウム箔のフィルムとを有し、また、
この香料ボックスは、前記回転ボックスの前記凹状の段部に嵌め込まれ、前記段部の面に当接し、
この香料ボックスが、前記回転ボックス内に嵌め込まれ、かつこの回転ボックスと一緒に回転するのを容易にするように、この香料ボックスは、前記回転ボックスに適合した形状である請求項９のエアフレッシュナ。
【請求項１１】
前記前方カバーと前記後方基部とは、複数のファスナで接続されており、
前記後方基部の前記環状の溝と前記固定基部とが、複数のファスナで接続されている請求項１０のエアフレッシュナ。
【請求項１２】
前記香料ボックスの前記前方カバーと、前記後方基部と、前記ボックス本体との外形は、楕円形である請求項８のエアフレッシュナ。
【請求項１３】
エアフレッシュナを使用する場所で、組み立てられたエアフレッシュナを固定するために使用される固定部材をさらに具備する前記全ての請求項のいずれか１のエアフレッシュナ。
【請求項１４】
留め溝が、前記固定部材を留めるために、前記固定基部の後ろ側に設けられている請求項１３のエアフレッシュナ。
【請求項１５】
前記固定部材は、硬質プラスチックでできている固定クリップである請求項１４のエアフレッシュナ。
【請求項１６】
前記固定部材は、軟質プラスチックでできている吸着カップである請求項１４のエアフレッシュナ。
【考案の詳細な説明】
【技術分野】
【０００１】
本考案は、エアフレッシュナに関する。
【背景技術】
【０００２】
近年、室内や車内のような多くの場所でエアフレッシュナが使用されており、市場には様々なエアフレッシュナが出回っている。しかし、このようなエアフレッシュナは、様々な欠点を有する。例えば、慣例的なエアフレッシュナは、香料の蒸気の放出量を調整することができず、それ故、香気が、室内や車内の空気をリフレッシュする目的を果すには強すぎたり弱すぎたりする。
【考案の開示】
【０００３】
本考案の目的は、従来技術の欠点を克服し、香料の蒸気の放出量を調整することができる新規のエアフレッシュナを提供することである。
【０００４】
従って、本考案のエアフレッシュナは、回転ボックスと、この回転ボックスを回転可能に支持する固定基部と、前記回転ボックスと一緒に回転可能で、香料が満たされる香料ボックスとを具備し、前記回転ボックスは、環状の断面を有し、また、この回転ボックスは、中に前記香料ボックスを収容かつ嵌め込むための内部空間を有し、この回転ボックスが、前記固定基部に対して回転しているとき、前記香料ボックスの一部分を露出させるために、空気孔が、前記固定基部に形成されている。
【０００５】
本考案のエアフレッシュナの一態様に係われば、前記回転ボックスは、中に前記香料ボックスを収容かつ嵌め込むための空間を形成している球形の突出部を有する。また、前記球形の突出部に対向している前記回転ボックスの側面が、開口され、前記固定基部は、この開口側面に固定されている。この固定基部は、通気孔を有する円形シートであり、熱可塑性プラスチックで成形されている。また、前記回転ボックスは、熱可塑性プラスチックで成形されている。この回転ボックスの開口された側面は、凹状の段部と段部の面とを有し、前記回転ボックスが、前記円形シートに対して回転可能なように、この円形シートが、前記回転ボックスの前記凹状の段部に嵌め込まれ、前記段部の面に当接している。前記回転ボックスに前記固定基部を固定し、かつこの固定基部が外れるのを防ぐように、少なくとも１つのファスナが、前記回転ボックスの環状縁部に形成されている。２つの固定ファスナと、１つの移動可能なファスナとが、前記回転ボックスの前記環状縁部に形成されており、また、２つのスロットが、前記移動可能なファスナの両側に形成されており、前記２つの固定ファスナに固定された後、前記固定基部が、前記移動可能なファスナを引くことによって嵌め込まれ、この移動可能なファスナを緩めることによって留められる。
【０００６】
本考案のエアフレッシュナの他の態様に係われば、前記回転ボックスは、前方カバーと後方基部とを有し、この後方基部は、前記固定基部を収容するための環状の溝を有する。回転ボックスの前記前方カバーは、凹状の段部と段部の面とを有し、また、前記後方基部は、前記回転ボックスの前記凹状の段部に嵌め込まれ、前記段部の面に当接し、通気孔が、前記香料ボックスの一部分を露出させるように、前記後方基部の前記環状の溝に形成されており、前記回転ボックスが、前記固定基部に対して回転しているとき、前記香料ボックスの一部分が、固定基部の前記通気孔と、後方基部の環状の溝の前記通気孔とを通って見られることが可能である。前記前方カバーと前記後方基部とは、複数のファスナで接続されており、後方基部の前記環状の溝と固定基部とが、複数のファスナで接続されている。香料ボックスの前記前方カバーと、前記後方基部と、前記ボックス本体との外形は、楕円形であっても良い。
【０００７】
前記香料ボックスは、透明なプラスチックシート材料で吸引により成形されたボックス本体と、液体の香料を封止可能かつ香料の蒸気を拡散可能な半透過フィルムと、使用前に前記香料の蒸気が拡散するのを防止可能なアルミニウム箔のフィルムとを有する。この香料ボックスは、回転ボックスの前記凹状の段部に嵌め込まれ、前記段部の面に当接しており、この香料ボックスが、前記回転ボックス内に嵌め込まれ、かつこの回転ボックスと一緒に回転するのを容易にするように、この香料ボックスは、前記回転ボックスに適合した形状である。好ましくは、前記回転ボックスは、突出部分の対向している両端の所から、前記回転ボックスの球形の空間の内部に向かって延びた複数のグリッドと、これらグリッドに対して所定の角度をなすように形成された複数の突出先端部とを有する。この香料ボックスは、前記回転ボックスに適合した形状であり、さらに、この香料ボックスは、前記回転ボックス内に嵌め込まれ、かつこの回転ボックスと一緒に回転するのを容易にするように、前記複数のグリッドと前記複数の突出先端部とに対応する嵌め込み部分を有する。
【０００８】
さらに、本考案のエアフレッシュナは、エアフレッシュナを使用する場所で、組み立てられたエアフレッシュナを固定するために使用される固定部材をさらに有しても良い。また、留め溝が、前記固定部材を留めるために、前記固定基部の後ろ側に設けられても良い。この固定部材は、硬質プラスチックでできている固定クリップ、もしくは軟質プラスチックでできている吸着カップとすることができる。
【０００９】
本考案のエアフレッシュナは、従来技術の欠点を克服し、車内や室内の空気をフレッシュにするために、車内や室内で使用されるのに適しており、拡散される香料の蒸気の放出量を調節することができるので、コストを減らし、経済的に多大な効果を与えることができる。
【考案を実施するための最良の形態】
【００１０】
本考案の実施の形態が、図面に従い、以下で詳細に説明される。
【００１１】
本考案の第１の実施の形態のエアフレッシュナは、図１（ａ）（参照符号Ｆ１）、図１（ｂ）（参照符号Ｂ１）並びに図１（ｃ）ないし図１（ｇ）に示されているように、回転ボックスＦ１（図１（ｂ）には参照符号Ｂ１により示されている）と、固定基部Ｆ２（図２（ｂ）には参照符号Ｂ２により示されている）と、香料が満たされる香料ボックスＰ（図６（ｂ）には参照符号Ｑにより示されている）とを有する。この回転ボックスＦ１は、開口され得る側面を有し、それ故、この回転ボックスは、回転カバー体とも呼ぶこともできる。前記固定基部Ｆ２は、この回転ボックスに固定され、この回転ボックスの開口された側面を封じる。
【００１２】
前記回転ボックスは、いかなるプラスチック材料で形成されても良く、好ましくはポリプロピレンでできている。また、この回転ボックスは、熱可塑性プラスチックにより成形されても良い。図１（ａ）並びに図１（ｂ）に示されているように、この回転ボックスは球形である。また、図１（ａ）、図１（ｂ）、図１（ｃ）並びに図１（ｄ）に示されているように、この回転ボックスは、複数のグリッド３と、この回転ボックスの球形の空間の内部に向かって延びた複数の突出先端部４とを有する。また、この回転ボックスは、ほぼ球形の突出部を有し、この突出部は、図６（ａ）並びに図６（ｂ）に示されている香料ボックスＰ、Ｑを収容し嵌め込むための空間を形成している。
【００１３】
図２（ａ）は、本考案の第１の実施の形態のエアフレッシュナの固定基部の正面図であり、参照符号Ｆ２は、固定基部を示している。図２（ｂ）は、固定基部の背面図であり、参照符号Ｂ２は、固定基部を示している。この固定基部は、熱可塑性プラスチックで成形されており、固定基部の本体として円形シート１６を有し、この円形シートに２つの通気孔１７が設けられている。これら通気孔の数は、１つ以上であれば良い。これら通気孔は、図２（ａ）並びに図２（ｂ）に示されているほぼ矩形以外の形状であっても良い。留め溝１８が、夫々、背面図である図２（ｂ）並びに前記固定基部のＨ−Ｈ方向に沿った断面図である図２（ｃ）から見ることができる。この留め溝１８は、図３に示されている固定クリップ２２または吸着カップ２３を留めるために使用される。突端１９が、この固定基部のＫ−Ｋ方向に沿った断面図である図２（ｄ）から見ることができる。この突出部１９は、図１に示されている回転ボックスが回転しているとき、回転角を制限するために使用される。
【００１４】
図１（ｂ）並びに図１（ｄ）に示されているように、前記回転ボックスＦ１（またはＢ１）は、凹状の段部（段部リング）６と段部の面５とを有する。固定基部の前記円形シート１６は、この円形シート１６が、前記段部リング６の内側に配置され、手で回転させることができるように、図１に示された回転ボックスの段部リング６の直径よりもわずかに小さな直径を有する。このように配置された状態では、この円形シート１６は、回転ボックスの前記段部の面５に当接している。
【００１５】
前記段部リング６の内側に前記固定基部Ｂ２を配置させ、かつこの固定基部Ｂ２が外れるのを防ぐために、２つの固定ファスナ８（図面には示されていないが、１つ以上の２つの固定ファスナでも良い）と、１つの移動可能なファスナ７（図面には示されていないが、複数の移動可能なファスナでも良い）が、図１に示された回転ボックスに設けられている。２つのスロット９（図面には示されていないが、１つ以上の２つのスロットでも良い）が、前記移動可能なファスナ７の両側に形成され、回転ボックスの外部リングに配置されている。従って、プラスチック材料が、変形および移動されるように引き込まれることが可能であり、かくして、プラスチック材料の弾性を使用することによって元の形状に戻すことが可能である。前記固定基部がこの回転ボックスの内側に配置されると、前記円形シート１６は、最初に、前記２つの固定ファスナ８（図面には示されていないが、１つ以上の２つの固定ファスナでも良い）の内側に留められ、前記段部リング６並びに段部の面５に当接する。それから、前記移動可能なファスナ７は、前記円形シート１６が嵌め込まれるように引き込み、これら段部リング６並びに段部の面５に当接し、さらに、この移動可能なファスナ７は、前記固定基部Ｂ２が留められるように緩められる。このようにして、３点７、８、８の所で留められるので、この固定基部は外れることができず、前記回転ボックスは、この固定基部Ｂ２に対して回転することができる。ここで記載されたことは、回転ボックスと固定基部との組合せの方法の一例に過ぎない。従って、例えば、スライドインおよびバックバッキング形式のファスナが、回転ボックスと固定部材とを一緒に留めるためにこれらの間になされる方法（図面には示されていない）のような、代わりの方法が使用されても良いことは、工程の問題である。
【００１６】
さらに、回転ボックスの前記複数のグリッド３と前記複数の突出先端部４とは、他の形状に形成されても良い。しかし、これらグリッド３並びに突出先端部４に一致する前記香料ボックスのボックス本体の凹凸形状は、香料ボックスのボックス本体とこれらグリッド３並びに突出先端部４とが一緒に嵌め込まれ（挿入され）、前記回転ボックスが香料ボックスのボックス本体と一緒に回転するように（図面には示されていない）、これらグリッド３並びに突出先端部４の形状に対応しなければならない。
【００１７】
図３（ａ）に示されているように、前記固定クリップ２２のクリップヘッド２４が、固定基部の前記留め溝１８に嵌め込まれる。この固定クリップ２２は、一般的には硬質プラスチック材料でできている。また、この固定クリップ２２のクリップ歯２５は、本考案の第１並びに第２の実施の形態のエアフレッシュナに共通する固定部材が固定させ得るように、車のエアコンディショナの空気吹出し口のグリッドに留められることができる。また、エアフレッシュナにより放出される香料の蒸気は、エアコンディショナの空気の流出口から吹き出す風による助力と共に拡散されることができる。
【００１８】
図３（ｂ）に示されているように、前記吸着カップ２３は、軟質プラスチック（例えば塩化ビニル樹脂）でできており、この吸着カップ２３の一端には、前記クリップヘッド２４が設けられ、また、この吸着カップ２３の他端には、真空カップ２６が設けられている。このクリップヘッド２４は、固定基部の前記留め溝１８に嵌め込まれる。また、この吸着カップ２３の他端の真空カップ２６により、本考案のエアフレッシュナは、車内の窓ガラス面のような滑らかな面、即ちいかなる滑らかな面にも取着させることができる。
【００１９】
上述の構成部材は、一般的には、射出成形によって、熱可塑性プラスチックで成形されている。前記吸着カップ２３は、一般的には軟質プラスチック材料（例えば塩化ビニル樹脂）でできており、また、他の構成部材は、一般的にはＡＢＳ、ポリスチレン、ポリプロピレン、ナイロンおよびポリエステルのような硬質プラスチック材料でできている。
【００２０】
図４（ａ）ないし図４（ｃ）に示されているように、本考案の第１の実施の形態のエアフレッシュナの香料ボックスの前記ボックス本体３０は、実質的に突出した球形である。このボックス本体３０は、ポリエステルまたは塩化ビニル樹脂のような透明プラスチックシート材料で成形されたバブルキャップの形式の吸引（ｓｕｃｔｉｏｎ）により一般的には形成されているが、他のプラスチック材料が使用されても良い。好ましくは、ポリエステルシート材料が、香料の化学物質の反応を防ぐために使用される。消費者は、香料ボックスを形成するために使用された透明な材料を通して、香料ボックスの内側に液体の香料を見ることができる。完成後、このボックス本体３０は、同じ面に縁部３１を有し、この縁部３１の両端の所での円弧の延長線が、回転ボックスの前記段部リング６と段部の面５とに適合する円を構成しており、この段部内に配置されることができる。このボックス本体３０は、実質的に突出した球形であり、この突出部の突出高さは、前記複数のグリッド３並びに複数の突出先端部４と一緒に嵌め込まれるこのボックス本体３０の嵌め込み部分を形成するように、回転ボックスのこれらグリッド３と突出先端部４とに対応する位置で減少している（球形に対してわずかに窪んでいる）。従って、この香料ボックスのボックス本体３０は、このボックス本体３０の開口面積を調整するように、即ち香料の放出面積を調整するように、この回転ボックスと一緒に回転するように移動されることができる。
【００２１】
図５に示されているように、前記ボックス本体３０は、液体の香料３３がこのボックス本体３０内に満たされる閉空間を形成するように、前記縁部３１の全面に沿ってラミネートされた極めて薄い半透過フィルム３２の層で封止されている。この半透過フィルム３２は、ボックス本体３０から液体の香料３３が漏れるのを防ぐという特徴を有し、香料の気体の香りがこのボックス本体３０の外部で感じられ得るように、揮発された気体の香料の分子を拡散する。この半透過フィルム３２は、約０．０１５ｍｍの厚さを有するポリセンまたはポリエチレンフィルムのような、上述の要求に応じたいかなるサイズを有するいかなる形式のフィルムでも良い。
【００２２】
本考案の第１の実施の形態のエアフレッシュナを使用する際、前記液体の香料３３が収容され、前記半透過フィルム３２で封止されている香料ボックスが、最初に、前記回転ボックスに形成された内部空間に嵌め込まれ、続いて、ボックス本体３０の前記縁部３１の両端の弧状の部分が、回転ボックスの前記段部リング６と段部の面５とに嵌め込まれる。さらに、固定基部の前記円形シート１６が、２つの固定ファスナ８に嵌め込まれ（図面には示されていないが、複数の固定ファスナが好ましい）、この円形シート１６の他端が、前記移動可能なファスナ７を引くことによって回転ボックスの段部リング６に嵌め込まれる。このとき、エアフレッシュナの後ろ側から見ると、香料の蒸気を拡散する前記半透過フィルム３２は、円形シート１６により覆われており、これらが互いに移動されると、香料の蒸気は、この半透過フィルム３２と円形シート１６との間の隙間から放出されないか、少しだけ放出されることができる。これは、エアフレッシュナが使用されていない状態である。この回転ボックスが回転されると、前記香料ボックスのボックス本体３０は、回転ボックスと一緒に、約９０°の角度で（または他の回転角で）回転するように移動される。このとき、円形シート１６の前記２つの通気孔は、前記半透過フィルム３２の表面に配置されており、香料の蒸気は、これら２つの通気孔から放出されることができる。この香料の蒸気の放出面積は、香料の蒸気の放出量を調整するために、回転ボックスの回転角を調整することによって増加させたり減少させたりすることができる。円形シート１６上の前記突端１９（図２）の位置は、この突端１９が前記固定ファスナ８の一方に当接するように回転されると、香料の蒸気の放出が完全に封じられるように設計されている。固定基部のこれら通気孔１７は、他の形状でも良い。このとき、図３の前記固定クリップ２２は、本考案のエアフレッシュナが、エアコンディショナの吹き出す風による助力と共に拡散されるべき放出される香料の蒸気を発生させるために、車のエアコンディショナの空気吹出し口の所でグリッドに留められることができるように、この固定基部上に装着される。もしくは、図３に示されている吸着カップ２３が、本考案の第１の実施の形態のエアフレッシュナが、車内の窓ガラス面のような滑らかな面に、即ち室内のいかなる滑らかな面にも固定されることができるように、この固定基部上に装着される。
【００２３】
図６（ａ）は、本考案の第１の実施の形態のエアフレッシュナの香料ボックスの製造後に使用される状態を示しており、図６（ａ）で参照符号Ｐは、この状態での香料ボックスを示している。通常は、香料ボックスが製造されてから消費者により使用されるまで相当長い時間を要するので、使用される前に香料が香料ボックスから揮発され放出されるのを防ぐために、気密なアルミニウム箔のフィルム３６の層が、前記半透過フィルム３２に付加的にラミネートされている。このアルミニウム箔のフィルム３６は、ボックス本体３０の前記縁部３１に沿っても、半透過フィルム３２にラミネートされている。この香料ボックスが使用される際、前記アルミニウム箔のフィルム３６が容易に剥がされるようにするために、長いテール部分３７が、このアルミニウム箔のフィルム３６に設けられている。封止とラミネートとが行われる状態は、以下のように制御される。前記半透過フィルム３２は、剥がされないように、ボックス本体３０の縁部３１に確実にラミネートされ、このアルミニウム箔のフィルム３６は、ボックス本体３０の半透過フィルム３２と縁部３１との間の封止にダメージを与えることなく半透過フィルム３２から容易に剥がされるように、この半透過フィルム３２に適切にラミネートされる。図６（ｂ）は、アルミニウム箔のフィルム３６は剥がされているときの本考案の第１の実施の形態の香料ボックスを示している。参照符号Ｑは、このアルミニウム箔のフィルム３６が剥がされている状態の香料ボックスを示している。
【００２４】
消費者の利便性のために、この香料ボックスは、製造工場で、回転ボックスと固定基部とにより形成される空間に配置されることができる。また、このとき、アルミニウム箔のフィルム３６の前記長いテール部分３７は、折り返されて、香料ボックスの外側にこのテール部分３７の短い部分を残すことが好ましい。香料ボックスを使用し始める直前に、消費者が、回転ボックス内に香料ボックスを維持しながらこのアルミニウム箔のフィルム３６を剥がすために、テール部分３７の前記短い部分を引くことができる。
【００２５】
図７（ａ）ないし図７（ｃ）に示されているように、本考案の第１の実施の形態の突出した球面とボックス本体３０の嵌め込み部分の各々は、回転ボックスの前記複数のグリッド３並びに複数の突出先端部４と一緒に嵌め込まれ、このボックス本体３０の前記縁部３１の平面の両端部の弧状の部分が、前記段部リング６の内部に配置され、また、回転ボックスの段部の面５に当接する。従って、このボックス本体３０は、回転ボックスが回転すると、一緒に回転するように移動されることができる。
【００２６】
本考案の第１の実施の形態の固定基部の一端は、最初に、回転ボックスの前記２つの固定ファスナ８に留められ、このとき、前記突端１９は、ちょうどこれら２つの固定ファスナ８の間に配置される。それから、前記移動可能なファスナ７が、前記固定基部を前記段部リング６に嵌め込まれ、かつ前記段部の面５に当接するように押圧して、さらに、この移動可能なファスナ７は、固定基部がこれら３つのファスナ７、８、８で留められるように緩められる。このようにして、前記回転ボックスは、この基部に対して回転することができ、さらに、この固定基部は外れないであろう。前記突端１９は、前記２つの固定ファスナ８の間に位置しているので、固定基部の回転域が制限される。図７（ｃ）では、この突端１９は、２つの固定ファスナ８のほぼ中間点に配置され、このとき、固定基部の前記複数の通気孔１７は、香料ボックスにラミネートされた半透過フィルム３２の一部分を露出させ、また、香料の蒸気は、これら通気孔１７から放出されることができる。前記突端１９が右側のファスナ８に近づくように回転すると、これら２つの通気孔１７は、香料の放出面に完全に配置され、従って、香料の蒸気が最大限放出される。また、この突端１９が左側のファスナ８に近づくように回転すると、香料の放出面は、固定基部で完全に覆われ、従って、香料の蒸気が完全に封じられる、または最小限放出される。前記留め溝１８が、固定基部の中間点に設けられ、前記固定クリップ２２または前記吸着カップ２３を留めるために使用される。
【００２７】
図８（ａ）ないし図８（ｄ）に示されているように、参照符号２０１は、本考案の第２の実施の形態のエアフレッシュナの回転ボックスの前方カバーを示している。熱可塑性プラスチック（または他の材料）によって射出成形により成形されたこの前方カバー２０１は、ほぼ楕円形（図面には示されていないが、他の形状でも良い）である。凹状の段部２０５が、この回転ボックスの前方カバー２０１のほぼ楕円形（図面には示されていないが、他の形状でも良い）の周縁部に設けられており、それ故、段部の面２０６が形成されている。参照符号２０８は、後方基部２０２を装着するための固定ファスナを示しており、また、参照符号２０７は、移動可能なファスナを示している。この移動可能なファスナは、このプラスチック材料が変形されることができるように引くために、この移動可能なファスナ２０７の一端部に形成された２つのスロット２０９（図面には示されていないが、１つ以上の２つのスロットでも良い）を使用して、前記後方基部２０２が嵌め込まれ、このプラスチック材料の弾性を使用して元の形状に戻すことができ、それ故、この後方基部を確実に留める。
【００２８】
図９（ａ）ないし図９（ｊ）に示されているように、本考案の第２の実施の形態のエアフレッシュナの回転ボックスの前記後方基部２０２は、熱可塑性プラスチック（または他の材料）によって射出成形されており、ほぼ楕円形（図面には示されていないが、他の形状でも良い）である。前記回転ボックスの後方基部２０２は、図８の回転ボックスの前記前方カバー２０１の前記凹状の段部２０５並びに段部の面２０６に適した外形とサイズとを有し、この凹状の段部２０５に配置されることができる。図９（ｂ）に示されているように、環状の溝２１３が、固定基部２１６を収容するための回転ボックスの前記後方基部２０２の適切な部分（図９（ｂ）では中央部分に示されており、図面には示されていないが、他の部分でも良い）に設けられている。この環状の溝２１３は、面２１２が変わらないように通過されない。通過可能な複数の通気孔２１４が、この環状の溝２１３に与えられ、また、この環状の溝２１３は、前記固定基部２１６を収容するための段部を形成している。これら通気孔２１４は、ほぼ半円形（図面には示されていないが、他の形状でも良い）である。参照符号２０３、２０４は、２つの固定ファスナ（図面には示されていないが、複数の２つのファスナでも良い）を示しており、参照符号２１０は、１つの移動可能なファスナ（図面には示されていないが、複数の移動可能なファスナでも良い）を示している。前記固定基部２１６が配置されると、この固定基部２１６は、最初に、固定ファスナ２０３、２０４に当接して、それから、移動可能なファスナ２１０に配置され、さらに、ラッチ２１１が与えられる。このようにして、この固定基部２１６は、確実に固定されて、前記後方基部２０２に対して回転することができる。前記前方カバー２０１と前記後方基部２０２とは、これらファスナを使用して接続され、また、後方基部２０２の前記環状の溝２１３と固定基部２１６とが、同様にこれらファスナを使用して接続される。
【００２９】
図１０（ａ）並びに図１０（ｂ）に示されているように、前記固定基部２１６は、図９（ｂ）の回転ボックスの前記後方基部２０２の前記環状の溝２１３に適した外形とサイズとを有し、前記面２１２に当接して配置されたこの環状の溝２１３に置かれることができ、回転されることができる。前記固定基部２１６が配置されると、この固定基部２１６は、最初に、固定ファスナ２０３、２０４に当接して、それから、面に置かれ、さらに、前記ラッチ２１１が、移動可能なファスナ２１０に与えられる。このようにして、この固定基部２１６は、確実に固定されて、前記後方基部２０２に対して回転することができる。前記ラッチ２１１が取り外された後、固定基部２１６は、ほぼ半円形状（図面には示されていないが、他の形状でも良い）である複数の通気孔２１７を有する。前記回転ボックスと固定基部２１６とは、香料を含み得るボックスを構成する。留め溝２１８が、固定基部２１６の中間部分に設けられ、前記固定クリップ２２または前記吸着カップ２３を留めるために使用される。
【００３０】
図１１（ａ）並びに図１１（ｂ）に示されているように、ボックス本体２３０は、ポリエステルまたは塩化ビニル樹脂のような透明プラスチックシート材料により成形されたバブルキャップの形態の吸引により、一般的には形成されているが、他のプラスチック材料が使用されても良い。好ましくは、ポリエステルシート材料が、香料の化学物質の反応を防ぐために使用される。消費者は、香料ボックス２３０を形成するために使用された透明な材料を通して、香料ボックスの内側に液体の香料を見ることができる。完成後、このボックス本体２３０は、同じ面の所で縁部２３１を有し、さらに、前記凹状の段部２０５と段部の面２０６とを内部に配置させるために、図８（ｂ）の前方カバー２０１の回転ボックスの凹状の段部２０５と段部の面２０６とに合わせた周縁部の形状とサイズとを有する。このボックス本体２３０の突出面は、前記回転ボックスの内部空間の外形に適するために、球面また楕円体面（図面には示されていないが、他の面でも良い）とすることができる。
【００３１】
図１２に示されているように、香料ボックスの前記ボックス本体２３０は、楕円形の外形（図面には示されていないが、他の形状でも良い）を有する。このボックス本体２３０は、液体の香料２３３がこのボックス本体２３０内に満たされる閉空間を形成するように、このボックス本体の前記縁部２３１の全面に沿ってラミネートされた極めて薄い半透過フィルム２３２の層で封止されている。この半透過のフィルム２３２は、ボックス本体２３０から液体の香料が漏れるのを防ぐという特徴を有し、香料の気体の香りがこのボックス本体２３０の外部で感じられ得るように、揮発された気体の香料の分子を拡散する。この半透過フィルム２３２は、約０．０１５ｍｍの厚さを有するポリセンまたはポリエチレンフィルムのような、上述の要求に応じたいかなるサイズを有するいかなる形式のフィルムでも良い。
【００３２】
図１３（ａ）は、本考案の第２の実施の形態のエアフレッシュナの香料ボックスの、製造後に使用される状態を示している。通常は、香料ボックスが製造されてから消費者に購入されて使用されるまで相当長い時間を要するので、使用される前に香料が香料ボックスから揮発され放出されるのを防ぐために、気密なアルミニウム箔のフィルム２３６の層が、前記半透過フィルム２３２に付加的にラミネートされている。このアルミニウム箔のフィルム２３６は、ボックス本体２３０の前記縁部２３１に沿って、半透過フィルム２３２にもラミネートされている。この香料ボックスが使用される際、前記アルミニウム箔のフィルム２３６が容易に剥がされるようにするために、長いテール部分２３７が、このアルミニウム箔のフィルム２３６に設けられている。封止とラミネートとが行われる条件は、前記半透過フィルム２３２が剥がされないように、ボックス本体２３０の縁部２３１に確実にラミネートされるように、制御される。また、このアルミニウム箔のフィルム２３６は、ボックス本体２３０の半透過フィルム２３２と縁部２３１との間の封止にダメージを与えることなく半透過フィルム２３２から容易に剥がされるように、この半透過フィルム２３２に適切にラミネートされる。図１３（ｂ）は、アルミニウム箔のフィルム２３６は剥がされた香料ボックスを示している。
【００３３】
消費者の利便性のために、この香料ボックスは、製造工場で、回転ボックスと固定基部とにより形成される空間に配置されることができる。また、このとき、アルミニウム箔のフィルム２３６の前記テール部分２３７は、折り返されて、香料ボックスの外側にこのテール部分２３７の短い部分を残すことが好ましい。香料ボックスを使用し始める直前に、消費者が、回転ボックス内に香料ボックスを維持しながらこのアルミニウム箔のフィルム２３６を剥がすために、テール部分２３７の前記短い部分を引くことができる。
【００３４】
図１４（ａ）に示されているように、本考案の第２の実施の形態のエアフレッシュナが組み立てられるとき、前記前方カバー２０１は、最初に、上側に面している後ろ側（図８に示されている）に、即ち上側に面しているこの前方カバー２０１の開口部に配置されて、香料ボックスがこの前方カバーの上に配置される（香料ボックスの前記アルミニウム箔のフィルムは剥がされている）。続いて、この香料ボックスのボックス本体２３０が下側に向けられ、この香料ボックスの半透過フィルム２３２が上側に向けられ、さらに、この香料ボックスのボックス本体２３０の縁部２３１が、前方カバー２０１の前記段部２０５と段部の面２０６とに嵌め込まれる。それから、前記回転ボックスの後方基部２０２も、正面側が下側に向けられ、背面側が上側に向けられるように、前方カバー２０１のこれら段部２０５並びに段部の面２０６に嵌め込まれる。この後方基部２０２が挿入されると、後方基部２０２の一端が、最初に、前記前方カバー２０１のファスナ２０８の内部に留められて、前記ファスナ２０７が、完全に嵌め込まれるこの後方基部２０２に対する位置を与えるように引き込まれ、それから、このファスナ２０７は緩められ、後方基部２０２のクリッピングが完了される。このとき、香料ボックスは、前記後方基部２０２の前記複数の通気孔２１４から見られることができる。図１４（ｂ）に示されているように、本考案の第２の実施の形態のエアフレッシュナを組み立てると、前記固定基部２１６は、後ろ側が上側に向けられた（図１０（ａ））後方基部２０２の前記ラウンド２１３に嵌め込まれる。最初に、固定基部２１６の一端が、前記固定ファスナ２０３、２０４に当接し、また、この固定基部２１６の他端が、完全に嵌め込まれる。それから、前記ラッチ２１１が、この固定基部２１６のクリッピングを確実にするように、前記移動可能なファスナ２１０に挿入される。最後に、固定部材（前記固定クリップ２２と前記吸着カップ２３）の前記クリップヘッド２４が、本考案の第２の実施の形態のエアフレッシュナの組み立てを完了するように、固定基部の前記留め溝２１８（図面には示されていない）に嵌め込まれる。
【００３５】
前記固定基部２１６が、車内の窓ガラス面のような、即ち室内のいかなる滑らかな面にも、固定部材（前記固定クリップ２２ならびに前記吸着カップ２３）によって固定されると、前記前方カバー２０１、前記後方基部２０２並びに嵌め込まれた香料ボックスからなる回転ボックスは、前記複数の通気孔２１４と前記複数の通気孔２１７との間の重なっている面積を変化させるように、したがって、香料の蒸気の放出量を調節するように、回転されることができる。
【００３６】
上述の実施の形態では、前記前方カバー２０１と前記後方基部２０２との外形は、ほぼ楕円形であるが、これは一例に過ぎず、他の構造的な形状または他の美感的な（ｅｓｔｈｅｔｉｃａｌ）形状（図面には示されていないが、例えば動物や花の形状）でも良い。このような形状は、十分な空間が、前記円形の固定基部２１６を収容するためのこの後方基部２０２の適切な部分（図９（ｂ）に示されている中間部分であり、図面には示されていないが、他の部分でも良い）に解放されることができる前記環状の溝２１３のために、また、回転される前記後方基部２０２のために（図面には示されていない）、残っていなければならないことを前提としている。
【００３７】
上述の実施の形態では、前記前方カバー２０１の突出面は滑らかであるが、これは一例に過ぎず、この前方カバー２０１の突出面は、様々な美感的な形状（図面には示されていないが、例えば動物や花の形状）の構成に形成されても良い。このような形状は、前記前方カバー２０１の突出面の構成形状が、この香料ボックスの前記ボックス本体２３０に嵌め込まれて組み立てられなければならないことを前提としている（図面には示されていない）。
【００３８】
上述の実施の形態では、前記後方基部２０２は、前記複数のファスナ２０７、２０８を有し、また、前記固定基部２１６は、これらファスナ２０３、２０４、２１０を有するが、これは一例に過ぎず、スライドインおよびバックバッキング形式のファスナが、この後方部材２０２と固定基部２１６とを一緒に留めるためにこれらの間になされる方法（図面には示されていない）のような、代わりの方法が使用されても良いことは、工程の問題である。これは、（１）固定基部２０２が、前記前方カバー２０１に嵌め込まれ、解放され、着脱されることができる（図面には示されていない）、（２）前記固定基部２１６は、前記前方カバーにより形成されている回転ボックスと前記後方基部とが、前記固定基部に対して回転できるように、これら後方基部２０２の前記後方基部２０２の前記環状の溝に嵌め込まれることができる、ということを前提としている（図面には示されていない）。本考案の第１の実施の形態並びに第２の実施の形態の両方のエアフレッシュナの香料ボックスに使用されている香料は、香料の製造工場で製造されるのに従って、様々な芳香性の原材料で調剤される香料、もしくは、所定の割合に従って香料を希釈することによって得られた香りでも良く、また、希釈溶液は、一般的にはエタノールかイソプロピルアルコールである。赤がストロベリーの芳香剤を示し、ピンクがローズの芳香剤を示し、紫がラベンダーの芳香剤を示し、黄色がレモンの芳香剤を示すような、芳香剤の種類を実質的に示している異なる色で香料、即ち香りを表すように、染料が、前記芳香ボックスに収容される香料、即ち香りに加えられることができる。さらに、図柄（ｔｒａｄｅｍａｒｋ）や美感的な模様が、回転ボックスの外面、固定基部ならびに香料ボックスになされる、即ち描かれても良い。
【００３９】
好ましい実施の形態のみが、本考案を説明するために選択されたが、本願の請求項で規定された範囲から逸脱することなく、様々な修正および変更が本考案になされ得ることは、当業者にとって自明であろう。１つの部材の機能が、２つの部材により果されることもでき、その逆もあり得る。一実施の形態の構造および機能が、他の実施の形態に適用されることもできる。例えば、第１の実施の形態の方法の様々な構造または組み立ては、第２の実施の形態にも適用させることができ、その逆もあり得る。全ての効果は、特定の実施の形態で童子に利用することができるとは限らない。従来技術とは区別される各々の特賞は、単独で、もしくは他の態様を組み合わせて、このような態様の実施するための構造的と機能的との少なくとも一方の概念を含む、出願人により本考案の唯一の記載であると考えられる。従って、本考案の各々の実施の形態に関する上述の記載は、例示に過ぎず、請求項並びに同様のものにより規定される本考案から理解されるであろう。
【図面の簡単な説明】
【００４０】
【図１（ａ）】図１は、本考案の第１の実施の形態のエアフレッシュナの回転ボックスの概略図であり、また、図１（ａ）は、この回転ボックスの正面図である。
【図１（ｂ）】図１（ｂ）は、回転ボックスの背面図である。
【図１（ｃ）】図１（ｃ）は、回転ボックスのＡ−Ａ線に沿った断面図である。
【図１（ｄ）】図１（ｄ）は、回転ボックスのＣ−Ｃ線に沿った断面図である。
【図１（ｅ）】図１（ｅ）は、回転ボックスのＤ−Ｄ線に沿った断面図である。
【図１（ｆ）】図１（ｆ）は、回転ボックスのＥ−Ｅ線に沿った断面図である。
【図１（ｇ）】図１（ｇ）は、回転ボックスのＧ−Ｇ線に沿った断面図である。
【図２（ａ）】図２は、本考案の第１の実施の形態のエアフレッシュナの固定基部の概略図であり、また、図２（ａ）は、この固定基部の正面図である。
【図２（ｂ）】図２（ｂ）は、固定基部の背面図である。
【図２（ｃ）】図２（ｃ）は、固定基部のＨ−Ｈ線に沿った断面図である。
【図２（ｄ）】図２（ｄ）は、固定基部のＫ−Ｋ線に沿った断面図である。
【図３（ａ）】図３は、本考案の第１並びに第２の実施の形態の両方に使用されるエアフレッシュナの固定装置（固定クリップと吸着カップ）の概略図であり、図３（ａ）は、固定クリップ２２の概略図である。
【図３（ｂ）】図３（ｂ）は、吸着カップ２３の概略図である。
【図３（ｃ）】図３（ｃ）は、吸着カップ２３のＲ−Ｒ線に沿った断面図である。
【図４（ａ）】図４は、本考案の第１の実施の形態のエアフレッシュナのボックス本体の表面の概略図であり、図４（ａ）は、香料ボックスのボックス本体３０を示している。
【図４（ｂ）】図４（ｂ）は、香料ボックスのボックス本体のＭ−Ｍ線に沿った断面図である。
【図４（ｃ）】図４（ｃ）は、香料ボックスのボックス本体のＮ−Ｎ線に沿った断面図である。
【図５】図５は、液体の香料剤で満たされ、プラスチックフィルムで封止された本考案の第１の実施の形態のエアフレッシュナの香料ボックスの概略図である。
【図６（ａ）】図６は、本考案の第１の実施の形態のエアフレッシュナの香料ボックスの概略図であり、図６（ａ）は、封止フィルムに覆われた封止アルミニウム箔を有する香料ボックスの概略図である。
【図６（ｂ）】図６（ｂ）は、アルミニウム箔が剥がされた香料ボックスの概略図である。
【図７（ａ）】図７は、本考案の第１の実施の形態のエアフレッシュナの構造の概略図であり、図７（ａ）は、回転ボックスに嵌め込まれた香料ボックスを有する後のエアフレッシュナの概略的な正面図である。
【図７（ｂ）】図７（ｂ）は、回転ボックスに嵌め込まれた香料ボックスを有する後のエアフレッシュナの概略的な背面図である。
【図７（ｃ）】図７（ｃ）は、固定基部の円形シートに配置された後の図７（ｂ）の概略的な背面図である。
【図８（ａ）】図８は、本考案の第２の実施の形態のエアフレッシュナの回転ボックスの前方カバーの概略図であり、図８（ａ）は、回転ボックスの前方カバー２０１の正面図である。
【図８（ｂ）】図８（ｂ）は、回転ボックスの前方カバー２０１の背面図である。
【図８（ｃ）】図８（ｃ）は、前方カバー２０１のＡ−Ａ線に沿った断面図である。
【図８（ｄ）】図８（ｄ）は、前方カバー２０１のＢ−Ｂ線に沿った断面図である。
【図９（ａ）】図９は、本考案の第２の実施の形態のエアフレッシュナの回転ボックスの後方基部２０２の概略図であり、図９（ａ）は、回転ボックスの後方基部２０２の正面図（回転ボックスの内部に向いている）である。
【図９（ｂ）】図９（ｂ）は、回転ボックスの後方基部２０２の背面図（回転ボックスの外部に向いており、エアフレッシュナ全体に対して後方）である。
【図９（ｃ）】図９（ｃ）は、回転ボックスの後方基部２０２のＣ−Ｃ線に沿った断面図である。
【図９（ｄ）】図９（ｄ）は、回転ボックスの後方基部２０２のＤ−Ｄ線に沿った断面図である。
【図９（ｅ）】図９（ｅ）は、回転ボックスの後方基部２０２のＥ−Ｅ線に沿った断面図である。
【図９（ｆ）】図９（ｆ）は、回転ボックスの後方基部２０２の移動可能なファスナ２１０の拡大図である。
【図９（ｇ）】図９（ｇ）は、回転ボックスの後方基部２０２の移動可能なファスナ２１０のラッチ２１１の断面図である。
【図９（ｈ）】図９（ｈ）は、回転ボックスの後方基部２０２の移動可能なファスナ２１０のＦ−Ｆ線に沿った断面図である。
【図９（ｉ）】図９（ｉ）は、回転ボックスの後方基部２０２の移動可能なファスナ２１０のＧ−Ｇ線に沿った断面図である。
【図９（ｊ）】図９（ｊ）は、回転ボックスの後方基部２０２の移動可能なファスナ２１０のラッチ２１１のＨ−Ｈ線に沿った断面図である。
【図１０（ａ）】図１０は、本考案の第２の実施の形態のエアフレッシュナの固定基部２１６の概略図であり、図１０（ａ）は、固定基部２１６の背面図（回転ボックスの外部に向いており、エアフレッシュナ全体に対して後方）である。
【図１０（ｂ）】図１０（ｂ）は、固定基部２１６のＫ−Ｋ線に沿った断面図である。
【図１１（ａ）】図１１は、本考案の第２の実施の形態の香料ボックスのボックス本体２３０の概略図であり、図１１（ａ）は、本考案の第２の実施の形態の香料ボックスのボックス本体２３０の概略図である。
【図１１（ｂ）】図１１（ｂ）は、香料ボックスのボックス本体２３０の側面図である。
【図１２】図１２は、本考案の第２の実施の形態の香料ボックスの使用されている状態での概略図である。
【図１３（ａ）】図１３は、本考案の第２の実施の形態の香料ボックスの概略図であり、図１３（ａ）は、使用される前にアルミニウム箔のフィルムで封止された本考案の第２の実施の形態の香料ボックスの概略図である。
【図１３（ｂ）】図１３（ｂ）は、使用される準備のためにアルミホイル箔が剥がされた、本考案の第２の実施の形態の香料ボックスの概略図である。
【図１４（ａ）】図１４（ａ）は、本考案の第２の実施の形態のエアフレッシュナの構造の概略図である。
【図１４（ｂ）】図１４（ｂ）は、本考案の第２の実施の形態のエアフレッシュナの構造の概略図である。
【図１（ａ）】
0003156421.tif 000003
【図１（ｂ）】
0003156421.tif 000004
【図１（ｃ）】
0003156421.tif 000005
【図１（ｄ）】
0003156421.tif 000006
【図１（ｅ）】
0003156421.tif 000007
【図１（ｆ）】
0003156421.tif 000008
【図１（ｇ）】
0003156421.tif 000009
【図２（ａ）】
0003156421.tif 000010
【図２（ｂ）】
0003156421.tif 000011
【図２（ｃ）】
0003156421.tif 000012
【図２（ｄ）】
0003156421.tif 000013
【図３（ａ）】
0003156421.tif 000014
【図３（ｂ）】
0003156421.tif 000015
【図３（ｃ）】
0003156421.tif 000016
【図４（ａ）】
0003156421.tif 000017
【図４（ｂ）】
0003156421.tif 000018
【図４（ｃ）】
0003156421.tif 000019
【図５】
0003156421.tif 000020
【図６（ａ）】
0003156421.tif 000021
【図６（ｂ）】
0003156421.tif 000022
【図７（ａ）】
0003156421.tif 000023
【図７（ｂ）】
0003156421.tif 000024
【図７（ｃ）】
0003156421.tif 000025
【図８（ａ）】
0003156421.tif 000026
【図８（ｂ）】
0003156421.tif 000027
【図８（ｃ）】
0003156421.tif 000028
【図８（ｄ）】
0003156421.tif 000029
【図９（ａ）】
0003156421.tif 000030
【図９（ｂ）】
0003156421.tif 000031
【図９（ｃ）】
0003156421.tif 000032
【図９（ｄ）】
0003156421.tif 000033
【図９（ｅ）】
0003156421.tif 000034
【図９（ｆ）】
0003156421.tif 000035
【図９（ｇ）】
0003156421.tif 000036
【図９（ｈ）】
0003156421.tif 000037
【図９（ｉ）】
0003156421.tif 000038
【図９（ｊ）】
0003156421.tif 000039
【図１０（ａ）】
0003156421.tif 000040
【図１０（ｂ）】
0003156421.tif 000041
【図１１（ａ）】
0003156421.tif 000042
【図１１（ｂ）】
0003156421.tif 000043
【図１２】
0003156421.tif 000044
【図１３（ａ）】
0003156421.tif 000045
【図１３（ｂ）】
0003156421.tif 000046
【図１４（ａ）】
0003156421.tif 000047
【図１４（ｂ）】
0003156421.tif 000048
【手続補正書】
【提出日】平成21年9月16日(2009.9.16)
【手続補正１】
【補正対象書類名】実用新案登録請求の範囲
【補正対象項目名】請求項１２
【補正方法】変更
【補正の内容】
【請求項１２】
前記香料ボックスの前記前方カバーと、前記後方基部と、前記ボックス本体との外形は、楕円形である請求項１０のエアフレッシュナ。
【手続補正２】
【補正対象書類名】実用新案登録請求の範囲
【補正対象項目名】請求項１３
【補正方法】変更
【補正の内容】
【請求項１３】
エアフレッシュナを使用する場所で、組み立てられたエアフレッシュナを固定するために使用される固定部材をさらに具備する請求項１ないし１２のいずれか１のエアフレッシュナ。
【手続補正３】
【補正対象書類名】明細書
【補正対象項目名】００３９
【補正方法】変更
【補正の内容】
【００３９】
好ましい実施の形態のみが、本考案を説明するために選択されたが、本願の請求項で規定された範囲から逸脱することなく、様々な修正および変更が本考案になされ得ることは、当業者にとって自明であろう。１つの部材の機能が、２つの部材により果されることもでき、その逆もあり得る。一実施の形態の構造および機能が、他の実施の形態に適用されることもできる。例えば、第１の実施の形態の方法の様々な構造または組み立ては、第２の実施の形態にも適用させることができ、その逆もあり得る。全ての効果は、特定の実施の形態で同時に利用することができるとは限らない。従来技術とは区別される各々の特徴は、単独で、もしくは他の態様を組み合わせて、このような態様の実施するための構造的と機能的との少なくとも一方の概念を含む、出願人により本考案の唯一の記載であると考えられる。従って、本考案の各々の実施の形態に関する上述の記載は、例示に過ぎず、請求項並びに同様のものにより規定される本考案から理解されるであろう。